(57)【特許請求の範囲】
【請求項１】
内部に防湿シートが備えられた外壁に、屋内外を連絡する貫通孔が防湿シートを貫通する態様において設けられると共に、該貫通孔にスリーブが設置され、該スリーブの外周部に、スリーブと前記防湿シートとの間をカバーするシート防湿保持用のつば部が設けられており、
前記スリーブは、屋外側から外壁の貫通孔に設置される屋外側スリーブ材と、屋内側から外壁の貫通孔に設置される屋内側スリーブ材とを備え、
これらスリーブ材は互いに連結可能であり、
各スリーブ材には前記シート防湿保持用つば部が備えられ、外壁貫通部に設置されたスリーブ材同士が連結されて、スリーブと前記防湿シートとの間が、屋外側から屋外側スリーブ材のシート防湿保持用つば部で、屋内側から屋内側スリーブ材のシート防湿保持用つば部でそれぞれカバーされていることを特徴とする外壁貫通部の防湿構造。
【請求項２】
前記屋外側スリーブ材のシート防湿保持用つば部と屋内側スリーブ材のシート防湿保持用つば部とが前記防湿シートの貫通部の周囲シート部分を挟み込んで該周囲シート部分に密着している請求項１に記載の外壁貫通部の防湿構造。
【請求項３】
内部に防湿シートが備えられた外壁に防湿シートを貫通する態様において設けられて屋内外を連絡する貫通孔に設置されるスリーブであって、
屋外側から外壁の貫通孔に設置される屋外側スリーブ材と、屋内側から外壁の貫通孔に設置される屋内側スリーブ材とを備え、
これらスリーブ材は互いに連結可能であり、
各スリーブ材には、スリーブと前記防湿シートとの間をカバーするシート防湿保持用のつば部が備えられ、外壁貫通部に設置したスリーブ材同士を連結することで、スリーブと前記防湿シートとの間を、屋外側から屋外側スリーブ材のシート防湿保持用つば部で、屋内側から屋内側スリーブ材のシート防湿保持用つば部でそれぞれカバーすることができるようになされていることを特徴とする外壁貫通部防湿用スリーブ。
【発明の詳細な説明】
【技術分野】
【０００１】
本発明は、外壁にエアコン配管を通す場合などにおいて用いられる外壁貫通部の防湿構造及び同防湿用スリーブに関する。
【背景技術】
【０００２】
外壁に屋内外を貫通する孔を設け、該貫通孔にスリーブを設置し、該スリーブ内を通じてエアコン配管を通すことは従来より行われているが、外壁の内部に防湿シートが備えられている場合は、外壁に貫通孔を設けることによって防湿シートにも孔が明いてしまい、スリーブと防湿シートとの間に防湿上の欠損を生じてしまう。
【発明の開示】
【発明が解決しようとする課題】
【０００３】
本発明は、上記のような問題点に鑑み、スリーブと防湿シートとの間の防湿上の欠損を小さくするないしはなくすことができ、しかも、それを施工容易に実現することができる、外壁貫通部の防湿構造及び同防湿用スリーブを提供することを課題とする。
【課題を解決するための手段】
【０００４】
上記の課題は、内部に防湿シートが備えられた外壁に、屋内外を連絡する貫通孔が防湿シートを貫通する態様において設けられると共に、該貫通孔にスリーブが設置され、該スリーブの外周部に、スリーブと前記防湿シートとの間をカバーするシート防湿保持用のつば部が設けられていることを特徴とする外壁貫通部の防湿構造によって解決される（第１発明）。
【０００５】
また、内部に防湿シートが備えられた外壁に防湿シートを貫通する態様において設けられて屋内外を連絡する貫通孔に設置されるスリーブであって、外周部に、防湿シートとの間をカバーするシート防湿保持用つば部が設けられていることを特徴とする外壁貫通部防湿用スリーブによって解決される（第２発明）。
【０００６】
上記の防湿構造及び防湿用スリーブでは、スリーブの外周部に設けられたシート防湿保持用つば部がスリーブと防湿シートとの間をカバーするので、該シート防湿保持用つば部によって、スリーブと防湿シートとの間の防湿上の欠損を小さくするないしはなくすことができ、しかも、テープをスリーブと防湿シートとにわたすように貼り付けて防湿欠損をなくすような場合に比べて、スリーブを貫通孔に設置するだけでよく、施工を容易に行うことができる。
【０００７】
第１、第２発明において、スリーブは、屋外側から外壁の貫通孔に設置される屋外側スリーブ材と、屋内側から外壁の貫通孔に設置される屋内側スリーブ材とを備え、
これらスリーブ材は互いに連結可能であり、
各スリーブ材には前記シート防湿保持用つば部が備えられ、外壁貫通部に設置されたスリーブ材同士が連結されて、スリーブと前記防湿シートとの間が、屋外側から屋外側スリーブ材のシート防湿保持用つば部で、屋内側から屋内側スリーブ材のシート防湿保持用つば部でそれぞれカバーされている、あるいは、カバーされるようになされているとよい（第３発明）。
【０００８】
この場合は、スリーブと防湿シートとの間が、屋外側と屋内側の両方の側からシート防湿保持用つば部でカバーされるので、一方の側のみからつば部でカバーする場合に比べて、スリーブと防湿シートとの間の防湿上の欠損を効果的に小さくするないしは効果的になくすことができる。
【０００９】
また、第３発明において、屋外側スリーブ材のシート防湿保持用つば部と屋内側スリーブ材のシート防湿保持用つば部とが前記防湿シートの貫通部の周囲シート部分を挟み込んで該周囲シート部分に密着している、あるいは、密着するようになされているとよい（第４発明）。この場合は、シート防湿保持用つば部と防湿シートとの密着によってスリーブと防湿シートとの間の防湿上の欠損を効果的になくすことができると共に、スリーブの構成部分のみで防湿シートとの密着状態を形成することができて、適用範囲を広くすることなどが可能となる。
【００１０】
また、第１発明において、シート防湿保持用つば部が防湿シートの貫通部の周囲シート部分に密着している、あるいは、密着するようになされている場合（第５発明）は、シート防湿保持用つば部と防湿シートとの密着によって、スリーブと防湿シートとの間の防湿上の欠損を効果的になくすことができる。
【発明の効果】
【００１１】
本発明は、以上のとおりのものであるから、スリーブと防湿シートとの間の防湿上の欠損を小さくするないしはなくすことができ、しかも、それを施工容易に実現することができる。
【発明を実施するための最良の形態】
【００１２】
次に、本発明の実施最良形態を図面に基づいて説明する。
【００１３】
図１及び図２に示す第１実施形態において、１は建物の外壁、２はスリーブであり、外壁１は、パネル式のものからなっていて、鋼製パネルフレーム３の屋外側に外壁面材４が取り付けられ、パネルフレーム３内にはグラスウールなどからなる繊維系断熱材５が設置され、その屋内側の面部に防湿シート８が設置され、屋内側には、桟木６を介して石膏ボードなどからなる内装ボード７が取り付けられている。９は鋼製柱である。そして、外壁１には、屋内外を連絡する貫通孔１０が防湿シート８を貫通する態様において設けられ、該貫通孔１０にエアコン配管用のスリーブ２が設置されている。
【００１４】
該スリーブ２は、屋外側から外壁１の貫通孔１０に設置される屋外側スリーブ材１１と、屋内側から外壁１の貫通孔１０に設置される屋内側スリーブ材１２とを備えており、これらスリーブ１１，１２は、屋外側スリーブ材１１の一端側内周部に設けられた雌ネジ部１１ａと、屋内側スリーブ材１２の一端側外周部に設けられた雄ネジ部１２ａとを螺合することによって互いに連結することができるようになされている。
【００１５】
そして、屋外側スリーブ材１１には、もう一方の端部に、貫通孔１０による外壁面材４の孔１０ａの周囲に張り出すつば部１１ｂが備えられると共に、前記一方の端部には、スリーブ２と防湿シート８との間を屋外側からカバーするシート防湿保持用つば部１１ｃが備えられている。該シート防湿保持用つば部１１ｃは、その外周サイズが、外壁面材４の孔１０ａの周囲に張り出すつば部１１ｂよりも小さく設計されていて、外壁面材４の孔１０ａを通過させることができるようになされている。
【００１６】
また、屋内側スリーブ材１２には、もう一方の端部に、貫通孔１０による内装ボード７の孔の周囲に張り出すつば部１２ｂが備えられると共に、前記一方の端部の雄ネジ部１２ａの基端側に隣接して、スリーブ２と防湿シート８との間を屋内側からカバーするシート防湿保持用つば部１２ｃが備えられ、該シート防湿保持用つば部１２ｃの屋外側の面部にはパッキン等の弾力性を有する気密材１３が備えられている。該シート防湿保持用つば部１２ｃは、その外周サイズが、内装ボード７の孔１０ｄの周囲に張り出すつば部１２ｂよりも小さく設計されていて、内装ボードの孔１０ｄを通過させることができるようになされている。
【００１７】
スリーブ２の施工は、図３（イ）（ロ）及び図４（ハ）（ニ）に示すように、屋外側から、外壁面材４、断熱材５及び防湿シート８に及ぶ孔１０ａ，１０ｂ，１０ｃを明け、該孔１０ａ，１０ｂ，１０ｃに、屋外側スリーブ材１１を差し込み、基端側のつば部１１ｂを外壁面材４に当接させてビス１４で止め、先端側のシート防湿保持用つば部１１ｃを防湿シート８の孔１０ｃの周囲の屋外側の面部に隣接状態に配置する。なお、防湿シート８の孔１０ｃは、屋外側スリーブ材１１のシート防湿保持用つば部１１ｃの外周サイズよりも小さく、かつ、屋内側スリーブ材１２の先端側の雄ネジ部１２ａを通すことができるサイズに明けておくようにする。
【００１８】
しかる後、図５（ホ）（ヘ）に示すように、内装ボード７に明けられた孔１０ｄに、屋内側スリーブ材１２を差し込み、回して、先端側の雄ネジ部１２ａを、防湿シート８の孔１０ｃを通じて屋外側スリーブ材１１の雌ネジ部１１ａと螺合させ、締め込んでいく。
【００１９】
これにより、図２に示すように、屋内側スリーブ材１２の基端つば部１２ｂが内装ボード７に当接すると共に、先端側のシート防湿保持用つば部１２ｃが防湿シート８の孔１０ｃの周囲の屋内側の面部に隣接状態となり、屋外側スリーブ材１１のシート防湿保持用つば部１１ｃと屋内側スリーブ材１２のシート防湿保持用つば部１２ｃとが、気密材１３の作用によって、防湿シート８をその孔１０ｃの周囲において挟み込んで密着状態になり、スリーブ２と防湿シート８との間は気密状態になる。
【００２０】
なお、図面（図１〜図５及び図６（イ））では、つば部１１ｃ，１２ｃと防湿シート８、つば部１２ｃと防湿シート８とが離間しているように描かれているが、作図上の理由によるものである。
【００２１】
また、施工は、貫通孔１０を構成するすべての孔１０ａ，１０ｂ，１０ｃ，１０ｄを形成した後に、屋外側スリーブ材１１と屋内側スリーブ材１２の設置の施工をするようにしてもよい。
【００２２】
上記の構造によれば、スリーブ２の外周部に備えられたシート防湿保持用つば部１１ｃ，１２ｃがスリーブ２と防湿シート８との間を気密状態にカバーするので、該シート防湿保持用つば部１１ｃ，１２ｃによって、スリーブ２と防湿シート８との間の防湿上の欠損をなくすことができ、また、その施工も、屋外側スリーブ材１１と屋内側スリーブ材１２を貫通孔１０に差し込んで連結するだけでよく、施工を容易に行うことができる。
【００２３】
図６（イ）に示す第２実施形態の構造は、屋外側スリーブ材１１からシート防湿保持用つば部が省略され、断熱材５に明けられた孔１０ｂは、屋内側スリーブ材１２のシート防湿保持用つば部１２ｃの外周サイズよりも小さく、防湿シート８の孔１０ｃの周縁部が屋内側スリーブ材１２のシート防湿保持用つば部１２ｃと断熱材５とに挟み込まれ、気密材１３の作用によってシート防湿保持用つば部１２ｃが防湿シート８に密着して気密状態にされている。その他は、第１実施形態と同様である。このように、断熱材５がシート防湿保持用つば部１２ｃとの組み合わせで防湿シート８を挟み込むことができるものである場合には、スリーブ２に備えさせるシート防湿保持用つば部を一つにしてもよい。
【００２４】
図６（ロ）に示す第３実施形態の構造は、屋外側スリーブ材１１からシート防湿保持用つば部が省略されると共に、屋内側スリーブ材１２のシート防湿保持用つば部１２ｃから気密材が省略され、屋内側スリーブ材１２のシート防湿保持用つば部１２ｃが、防湿シート８の孔１０ｃの周縁部に密着されることなく隣接状態に配置されて、スリーブ２と防湿シート８との間をカバーしているものであり、そのカバー効果により、スリーブ２と防湿シート８との間の防湿欠損を小さく抑えることができる。その他は、第１実施形態と同様である。
【００２５】
以上に、本発明の実施形態を示したが、本発明はこれに限られるものではなく、発明思想を逸脱しない範囲で各種の変更が可能である。例えば、上記の実施形態では、スリーブ２のシート防湿保持用つば部を、防湿シート８の屋内側と屋外側の両方、及び、防湿シート８の屋内側にのみ備えさせた場合を示したが、防湿シート８の屋外側のみに備えさせてスリーブ２と防湿シートとの間をカバーするようにしてもよい。
【００２６】
また、上記の実施形態では、二つのシート防湿保持用つば部１１ｃ，１２ｃが防湿シート８を気密状態に挟み込んでいる場合を示したが、防湿シートとスリーブとの間を両側から、防湿シートを挟み込むことなく、カバーする構造にしてもよい。
【００２７】
また、上記の実施形態では、屋外側スリーブ材１１と屋内側スリーブ材１２とがネジ式で連結される場合を示したが、ツメなどによる嵌合方式や、その他の方式で連結されるようになされていてもよい。
【００２８】
更に、上記の実施形態では、スリーブ２を屋外側スリーブ材１１と屋内側スリーブ材１２とに分割した場合を示したが、スリーブ本体部分が一つの部品で構成されていてもよい。
【００２９】
また、上記の実施形態では、外壁貫通部がエアコン用の配管を通す貫通部である場合を示したが、外壁に設けられる給気口、排気口等の換気用の外壁貫通部であってもよい。また、本発明では、外壁や躯体の構造に制限はなく、外壁内に防湿シートが備えられている各種外壁貫通部の防湿構造及びスリーブとして用いることができるものである。
【図面の簡単な説明】
【００３０】
【図１】図（イ）は第１実施形態の外壁貫通部の防湿構造を示す分解断面平面図、図（ロ）は屋外側スリーブ材の斜視図、図（ハ）は屋内側スリーブ材の斜視図である。
【図２】図（イ）は同防湿構造の断面平面図、図（ロ）は要部拡大平面図である。
【図３】図（イ）及び図（ロ）は、図４及び図５と共に、施工方法を順次に示す断面平面図である。
【図４】図（ハ）及び図（ニ）は、図３及び図５と共に、施工方法を順次に示す断面平面図である。
【図５】図（ホ）及び図（ヘ）は、図３及び図４と共に、施工方法を順次に示す断面平面図である。
【図６】図（イ）は第２実施形態の防湿構造を示す断面平面図、図（ロ）は第３実施形態の防湿構造を示す断面平面図である。
【符号の説明】
【００３１】
１…外壁
２…スリーブ
８…防湿シート
１０…貫通孔
１１…屋外側スリーブ材
１１ａ…雌ネジ部
１１ｃ…シート防湿保持用つば部
１２…屋内側スリーブ材
１２ａ…雄ネジ部
１２ｃ…シート防湿保持用つば部
【図１】
0004644081.tif 000002
【図２】
0004644081.tif 000003
【図３】
0004644081.tif 000004
【図４】
0004644081.tif 000005
【図５】
0004644081.tif 000006
【図６】
0004644081.tif 000007